(57)【要約】【課題】  冷蔵庫等の重量物を安定よくかつ安全に移動できる重量物持ち上げ移動装置を提供する。【解決手段】  本体５の前方上部にフォーク１を固定すると共に、本体５の前方下部に前ローラ軸８で前ローラ７が軸支し、かつ、本体５の後方に延出するハンドル部６を設け、前記ハンドル部６の縁部に後ローラ軸で後ローラを軸支してなる、重量物持ち上げ移動装置１１を２つ用意して同時に使用し、冷蔵庫等の重量物の手前側の両足部を持ち上げて、引き擦り移動できるようにした。【選択図】  図１
2011037535.tif 000002
【特許請求の範囲】
【請求項１】
本体と前記本体の前方下部に前ローラ軸で前ローラを軸支すると共に、本体の前方上部には前方に延出するフォークを固定し、かつ、本体の後方に延出するハンドル部を設け、前記ハンドル部の縁部に後ローラ軸で後ローラを軸支してなることを特徴とする重量物持ち上げ移動装置。
【請求項２】
この重量物持ち上げ移動装置を２つ用意して同時に使用し、冷蔵庫等の重量物の手前側の両脚フレームを持ち上げることを特徴とする請求項１に記載の重量物持ち上げ移動装置。
【請求項３】
フォークの前縁は、その中間部が平面部よりも上方に突出している凸部が設けられ、かつ、前縁両端部は縁端に向かい勾配形状をしていることを特徴としている請求項１に記載の重量物持ち上げ移動装置。
【発明の詳細な説明】
【技術分野】
【０００１】
本発明は、一般家庭等で使用する冷蔵庫等の重量物を安全に持ち上げ移動させるために使用する重量物持ち上げ移動装置に関するものである。
【背景技術】
【０００２】
図６は従来の重量物持ち上げ装置を示す側面図である。この従来例は、例えば、特開２００５−１４５７１２号公報に記載されているものと同種のものである。車輪９２を有するフレーム９４の前端に荷受け部材９６を設けると共に、フレーム９４側の後方に延出するハンドル部材９５を装着して重量物Ｗを車輪９２を支点にして持ち上げて引き擦り移動できるものであった。
【先行技術文献】
【特許文献】
【０００３】
【特許文献１】特開２００５−１４５７１２号公報
【発明の概要】
【発明が解決しようとする課題】
【０００４】
上記の重量物持ち上げ装置９１は、図７に示すように１つの重量物持ち上げ装置９１を用いて冷蔵庫等の重量物Ｗの下面中央に挿入し使用するものであるため、重量物持ち上げ装置９１は冷蔵庫等の重量物Ｗを支持できる大きさが必要となり比較的大型なものとなっていた。そのため、作業に広いスペースを要し、一般家庭内での冷蔵庫等の重量物Ｗの移動は困難であった。
【０００５】
また、冷蔵庫等の重量物Ｗの下面中央の１点で支持するため、載置した冷蔵庫等の重量物Ｗを安定良く移動できない恐れがあり。また、荷受け部材９６が平面となっていたため、無理に移動をすると載置した冷蔵庫等の重量物Ｗが荷受け部材９６から脱落してしまい、とても危険であった。
【０００６】
そこで、本発明は安定よくかつ安全に持ち上げと移動ができる重量物持ち上げ移動装置を提供することを目的とするものである。
【課題を解決するための手段】
【０００７】
上記の課題を解決するためになされた本発明の重量物持ち上げ移動装置は、本体と前記本体の前方下部に前ローラ軸で前ローラを軸支すると共に、本体の前方上部には前方に延出するフォークを固定し、かつ、本体の後方に延出するハンドル部を設け、前記ハンドル部の縁部に後ローラ軸で後ローラを軸支してなる、重量物持ち上げ移動装置であり。
【０００８】
第1に、この重量物持ち上げ移動装置を２つ用意して同時に使用し、冷蔵庫等の重量物の手前側の両脚フレームを持ち上げることを特徴としている。
【０００９】
第２に、前記フォークの前縁は、その中間部が平面部よりも上方に突出している凸部が設けられ、かつ、前縁両端部は縁端に向かい勾配形状をしていることを特徴としている。
【発明の効果】
【００１０】
上記第１の手段では、冷蔵庫等の重量物の下面両側にある脚フレームに挿入して該重量物を支持するとき、フォークが低い位置で床とほぼ平行に挿入することができるので確実に脚部に挿入ができ、持ち上げる時はテコの原理で軽い力で持ち上げ手前側に引き擦り移動が可能となり、同時に２つを使用するため１つにかかる重量は半分になる。これにより重量物持ち上げ移動装置の大きさを小さく形成することが可能となって小さいスペースで移動できる。
【００１１】
また、ハンドル部の縁部に後ローラ軸で後ローラを軸支しているので、冷蔵庫等の重量物の脚フレームを持ち上げたとき、床とハンドル部の隙間を一定にでき、指を挟むことはなく、また手前に引き擦り移動中には、前記後ローラが床と接触し、手がハンドル部から滑り抜けることを防止し、安全である。
【００１２】
上記第２の手段では、フォークの前縁は、その中間部が平面部よりも上方に突出している凸部が設けられている。これによって、冷蔵庫等の重量物の脚フレームを持ち上げ手前側に引き擦り移動中に、フォーク上に載置した冷蔵庫等の重量物の脚フレームが、フォークに対して滑らないので、安定良くかつ確実に支持され、安全である。
【００１３】
また、前縁両端部は、縁端に向かい勾配形状をしている。これによって、前記勾配形状を冷蔵庫等の重量物の脚フレームと調節脚の隙間に挿入し、脚フレームを持ち上げることで調節脚が床から離れ、調節脚を回すことができ、設置後の水平固定を容易におこなうことができる。
【図面の簡単な説明】
【００１４】
【図１】本発明の実施形態を示す斜視図
【図２】持ち上げ前の状態を示す側面図
【図３】持ち上げ移動の状態を示す側面図
【図４】本発明の実施形態の使用例説明用斜視図
【図５】据付脚を床から浮かせた状態を示す斜視図
【図６】従来の重量物持ち上げ装置の側面図
【図７】従来の重量物持ち上げ装置の使用例説明用斜視図
【発明を実施するための形態】
【００１５】
以下、本発明の実施例を図面によって説明する。
【実施例】
【００１６】
図１は本発明の実施例による重量物持ち上げ移動装置の斜視図である。フォーク１は金属製の板で前縁はその中間部が平面部４よりも上方に突出している凸部３を接合し、かつ前縁両端部２は、縁端に向かい勾配形状をしている
【００１７】
前記フォーク１は本体５の前方上部に固定され、前方下部に、金属製の前ローラ軸８で合成樹脂製の前ローラ７が軸支され、後方下部には、金属製の後ローラ軸１０で合成樹脂製の後ローラ９が軸支されているので、重量物持ち上げ移動装置１１が前後自在に移動できる。
【００１８】
以上のように構成された重量物持ち上げ移動装置１１によって冷蔵庫等の重量物Ｗを持ち上げて移動させるには、図２に示すように、冷蔵庫等の重量物Ｗの下面両側にある脚フレーム１２に、フォーク１の前縁凸部３を挿入させる。
【００１９】
さらに、この状態からハンドル部６を押し下げると、冷蔵庫等の重量物Ｗの下面両側にある脚フレーム１２が十分に持ち上がり、図３に示すようにハンドル部６の縁部にある後ローラ９が床Ｆと接触する。この状態のままハンドル部６を手前引くと重量物持ち上げ移動装置１１の前ローラ７と後ローラ９が回転をして冷蔵庫等の重量物Ｗが引き擦り移動をする。
【００２０】
そして、このときフォーク１の前縁凸部３が、フォーク１上に載置した冷蔵庫等の重量物Ｗの脚フレーム１２に嵌合し、フォーク１に対して滑らないので、安定良くかつ確実に支持される。
【００２１】
また、このときハンドル部６と床Ｆで指を挟み、けがをする恐れがないので安全である。
【００２２】
そして、図４に示すように、重量物持ち上げ移動装置１１を２つ同時に使用してこの操作をすることで１つにかかる重量は半分になる。これにより重量物持ち上げ移動装置１１の大きさを小さく形成することが可能となって、小さいスペースで一人で移動できるので、一般家庭内での冷蔵庫等の重量物Ｗの持ち上げと、該重量物Ｗの持ち上げながらの引き擦り移動に利用できるものである。
【００２３】
つぎに、冷蔵庫等の重量物Ｗの調節脚１３の操作は、図５に示すように、フォーク１の前縁両端部２を冷蔵庫等の重量物Ｗの脚フレーム１２の下側に挿入し、ハンドル部６を押し下げると調節脚１３が持ち上がり、指で調節脚１３を回すことができ、設置後の水平固定が容易におこなえる。
【符号の説明】
【００２４】
１    フォーク
２    端部
３    凸部
５    本体
【図１】
2011037535.tif 000003
【図２】
2011037535.tif 000004
【図３】
2011037535.tif 000005
【図４】
2011037535.tif 000006
【図５】
2011037535.tif 000007
【図６】
2011037535.tif 000008
【図７】
2011037535.tif 000009